(57)【要約】【課題】巻き付けた髪の外側（根元の髪の部分、髪の太い部分）を優先的に加熱して施術効率を向上することができる髪施術用加熱器を提供する。【解決手段】前記髪に面接触する防水シート部と、前記防水シート部の前記髪と面接触する側とは反対側に配置され、供給される電力を熱に変換して発熱する発熱回路シート部と、前記発熱回路シート部の前記防水シート部とは反対側に配置され、該発熱回路シート部の熱を断熱する断熱シート部と、前記防水シート部の端部に配置され、前記断熱シート部の外側表面に着脱可能な面ファスナーを備える面ファスナー部とを有し、前記防水シート部と前記発熱回路シート部と前記断熱シート部とで三層に積層されて一体的に折り曲げ可能なシート形状を形成し、前記髪を加熱時に略円筒形状に丸めて折り曲げて前記面ファスナー部を前記断熱シート部の外側表面に固定して、略円筒形状の状態を維持する、ことを特徴とする。【選択図】図１
2019217116.tif 000002
【特許請求の範囲】
【請求項１】
髪の施術をするために、前記髪を加熱する髪施術用加熱器であって、
前記髪に面接触する防水シート部と、
前記防水シート部の前記髪と面接触する側とは反対側に配置され、供給される電力を熱に変換して発熱する発熱回路シート部と、
前記発熱回路シート部の前記防水シート部とは反対側に配置され、該発熱回路シート部の熱を断熱する断熱シート部と、
前記防水シート部の端部に配置され、前記断熱シート部の外側表面に着脱可能な面ファスナーを備える面ファスナー部と
を有し、
前記防水シート部と前記発熱回路シート部と前記断熱シート部とで三層に積層されて一体的に折り曲げ可能なシート形状を形成し、
前記髪の加熱時に略円筒形状に丸めて折り曲げて前記面ファスナー部を前記断熱シート部の外側表面に固定して、略円筒形状の状態を維持する、
ことを特徴とする髪施術用加熱器。
【請求項２】
請求項１に記載の髪施術用加熱器と、略円筒形状の円筒部材と、を備え、
前記髪を加熱時に、前記円筒部材の外面に該髪を巻いて保持し、次に前記髪施術用加熱器の前記防水シート部を内面にして前記円筒部材に該髪施術用加熱器を略円筒形状に丸めて折り曲げて被せ、前記発熱回路シート部を発熱して該髪を加熱して施術する、
ことを特徴とする髪施術器。
【請求項３】
髪に面接触する防水シート部と、
前記防水シート部の前記髪とは反対側に配置され、供給される電力を熱に変換して発熱する発熱回路シート部と、
前記発熱回路シート部の前記防水シート部とは反対側に配置され、該発熱回路シート部の熱を断熱する断熱シート部と、
前記防水シート部の端部に配置され、前記断熱シート部の外側表面に着脱可能な面ファスナーを備える面ファスナー部と、
前記髪を外面に巻いて保持する略円筒形状の円筒部材と、
を有する髪施術器を用いて、
前記髪を加熱して施術をする髪施術方法であって、
前記円筒部材の外面に該髪を巻いて保持する巻き付けステップと、
前記防水シート部と前記発熱回路シート部と前記断熱シート部とで三層に積層されて一体的に折り曲げ可能なシート形状を形成した状態で、前記巻き付けステップで該髪を巻いて保持した前記円筒部材に、前記防水シート部を内面にして略円筒形状に丸めて被せる加熱器取り付けステップと、
前記発熱回路シート部を発熱して、前記円筒部材に巻いて保持している前記髪を加熱する加熱施術ステップと
を含む、
ことを特徴とする髪施術方法。
【発明の詳細な説明】
【技術分野】
【０００１】
本発明は、パーマ・トリートメント（発熱型パーマネントウェーブ・ストレートパーマ・トリートメント施術など）において髪を施術する髪施術用加熱器、髪施術器、および、髪施術方法に関する。
【背景技術】
【０００２】
髪を加熱してパーマやカールを施す施術方法が知られている。特許文献１では、ロッドの軸芯部に受熱穴が形成されたホットロッドと、熱線の照射ヘッドを備えたパーマ促進器を用いた毛髪施術方法であって、前記受熱穴を外部加熱装置の棒状ヒータに嵌合させることにより、この棒状ヒータからの熱を受けてロッドを加熱させ、その加熱状態のロッドに被施術者の毛髪を毛先から巻き付けたのち上から薬液を塗布させ、その状態で前記パーマ促進器の照射ヘッドにより被施術者の毛髪に熱線を照射させることにより、ホットロッドによる毛髪への直接加熱と、パーマ促進器による毛髪への外部加熱を併用することを特徴とする毛髪施術方法に関する技術を開示している。特許文献２では、コンディショニング剤を毛髪に塗布して、加熱することにより、毛髪のトリートメントを行うトリートメントの施術方法において、ピロリドンカルボン酸を含有した酸性の前処理剤を毛髪に塗布する前処理剤塗布工程と、ポリクオタニウム− １ １ と、水添ヒマシ油／ セバシン酸のコポリマーとを含有したコンディショニング剤を毛髪に塗布するコンディショニング剤塗布工程と、内部に発熱装置を備えたロッドに上記の毛髪を巻き付けるワインディング施術工程と、ロッドを発熱させ毛髪を加熱するロッド加熱工程と、を行うことを特徴とするトリートメントの施術方法に関する技術を開示している。
【先行技術文献】
【特許文献】
【０００３】
【特許文献１】特開２００８−１２２２８号公報
【特許文献２】特開２００７−３９４１０号公報
【発明の概要】
【発明が解決しようとする課題】
【０００４】
特許文献１および特許文献２に記載の技術では、ロッド（髪を巻き付ける略円筒形状）で発熱して髪を加熱するので、巻き付けた髪の外側（根元の髪の部分）を十分に加熱できない場合がある。また、特許文献１および特許文献２には、巻き付けた髪の外側（根元の髪の部分）を直接加熱して施術効率を向上する技術に関する記載がない。
【０００５】
本発明は、巻き付けた髪の外側（根元の髪の部分）を直接加熱して施術効率を向上することができる髪施術用加熱器、髪施術器または髪施術方法を提供することを目的とする。また、本発明は、毛先の髪の部分（髪が細い部分）よりも、根元の髪の部分（髪が太い部分）を優先的に加熱して、施術時間を短縮することができる髪施術用加熱器、髪施術器または髪施術方法を提供することを目的とする。
【課題を解決するための手段】
【０００６】
上記課題を解決するために、本発明の一つの実施形態は、髪の施術をするために、前記髪を加熱する髪施術用加熱器であって、前記髪に面接触する防水シート部と、前記防水シート部の前記髪と面接触する側とは反対側に配置され、供給される電力を熱に変換して発熱する発熱回路シート部と、前記発熱回路シート部の前記防水シート部とは反対側に配置され、該発熱回路シート部の熱を断熱する断熱シート部と、前記防水シート部の端部に配置され、前記断熱シート部の外側表面に着脱可能な面ファスナーを備える面ファスナー部とを有し、前記防水シート部と前記発熱回路シート部と前記断熱シート部とで三層に積層されて一体的に折り曲げ可能なシート形状を形成し、前記髪の加熱時に略円筒形状に丸めて折り曲げて前記面ファスナー部を前記断熱シート部の外側表面に固定して、略円筒形状の状態を維持する、ことを特徴とする髪施術用加熱器を提供する。
【０００７】
上記課題を解決するために、本発明の他の実施形態は、上記の髪施術用加熱器と、略円筒形状の円筒部材と、を備え、前記髪を加熱時に、前記円筒部材の外面に該髪を巻いて保持し、次に前記髪施術用加熱器の前記防水シート部を内面にして前記円筒部材に該髪施術用加熱器を略円筒形状に丸めて折り曲げて被せ、前記発熱回路シート部を発熱して該髪を加熱して施術する、ことを特徴とする髪施術器であってもよい。
【０００８】
上記課題を解決するために、本発明の他の実施形態は、髪に面接触する防水シート部と、前記防水シート部の前記髪とは反対側に配置され、供給される電力を熱に変換して発熱する発熱回路シート部と、前記発熱回路シート部の前記防水シート部とは反対側に配置され、該発熱回路シート部の熱を断熱する断熱シート部と、前記防水シート部の端部に配置され、前記断熱シート部の外側表面に着脱可能な面ファスナーを備える面ファスナー部と、前記髪を外面に巻いて保持する略円筒形状の円筒部材と、を有する髪施術器を用いて、前記髪を加熱して施術をする髪施術方法であって、前記円筒部材の外面に該髪を巻いて保持する巻き付けステップと、前記防水シート部と前記発熱回路シート部と前記断熱シート部とで三層に積層されて一体的に折り曲げ可能なシート形状を形成した状態で、前記巻き付けステップで該髪を巻いて保持した前記円筒部材に、前記防水シート部を内面にして略円筒形状に丸めて被せる加熱器取り付けステップと、前記発熱回路シート部を発熱して、前記円筒部材に巻いて保持している前記髪を加熱する加熱施術ステップとを含む、ことを特徴とする髪施術方法であってもよい。
【発明の効果】
【０００９】
本発明に係る髪施術用加熱器、髪施術器および髪施術方法によれば、巻き付けた髪の外側（根元の髪の部分、髪の太い部分）を優先的に加熱して施術効率を向上することができる。
【図面の簡単な説明】
【００１０】
【図１】本発明の実施形態に係る髪施術用加熱器の一例を説明する説明図である。
【図２】本発明の実施形態に係る髪施術用加熱器の一例を説明する説明図である。
【図３】本発明の実施形態に係る髪施術器の一例を説明する分解図である。
【図４】本発明の実施形態に係る髪施術器の使用時の例を説明する説明図である。
【発明を実施するための形態】
【００１１】
実施形態に係る髪施術用加熱器、髪施術器および髪施術方法の例を用いて、本発明を説明する。なお、本発明は、以後に説明する髪施術用加熱器、髪施術器および髪施術方法以外でも、施術効率を向上するために、巻き付けた髪の外側（根元の髪の部分、髪の太い部分）を優先的に加熱するものであれば、いずれのものにも用いることができる。
【００１２】
下記に示す順序で、本発明を説明する。
１．髪施術用加熱器および髪施術器の構成
２．髪施術方法
【００１３】
（１．髪施術用加熱器および髪施術器の構成）
図１乃至図４を用いて、本発明の実施形態に係る髪施術用加熱器および髪施術器の構成を説明する。ここで、図１（ａ）は、本発明の実施形態に係る髪施術用加熱器１０の内面（施術時に髪に接する面）の一例を説明する平面図である。図１（ｂ）は、本発明の実施形態に係る髪施術用加熱器１０の外面の一例を説明する背面図である。図１（ｃ）は、本発明の実施形態に係る髪施術用加熱器１０の断面（図１（ｂ）のＤ−Ｄ断面）の一例を説明する断面図である。図２（ａ）は、本発明の実施形態に係る髪施術用加熱器１０Ｕの一例（内面側）を説明する説明図である。図２（ｂ）は、本発明の実施形態に係る髪施術用加熱器１０Ｕの一例（外面側）を説明する説明図である。図３は、本発明の実施形態に係る髪施術器１００Ｕの一例を説明する分解図である。図４は、本発明の実施形態に係る髪施術器１００Ｕの使用時の例を説明する説明図である。なお、図１等に示す髪施術用加熱器の構成等は一例であり、本発明は図１等に示す髪施術用加熱器等に限定されるものではない。
【００１４】
図１（ａ）および図１（ｂ）に示すように、本発明に係る髪施術用加熱器１０は、髪の施術をするために、髪に面接触して、施術する髪を加熱する機器である。髪施術用加熱器１０は、本実施形態では、図１（ａ）乃至図１（ｃ）に示すように、三層に積層されて一体的に折り曲げ可能なシート形状を形成し（たとえば図２（ａ）および図２（ｂ））、髪の加熱時に略円筒形状に丸めて折り曲げて（たとえば図４）、髪に被せて、髪を加熱する。なお、本発明において、三層に積層されたシート形状の大きさは特に限定されるものではない。三層に積層されたシート形状の大きさは、設計、実験、計算などで予め定められる大きさとすることができる。
【００１５】
図１（ａ）乃至図１（ｃ）に示すように、本発明に係る髪施術用加熱器１０は、髪に面接触する防水シート部１１と、供給される電力を熱に変換して発熱する発熱回路シート部１４と、発熱回路シート部１４の熱を断熱する断熱シート部１２と、断熱シート部１２の外側表面に着脱可能な面ファスナーを備える面ファスナー部１３とを有する。図１（ｃ）に示すように、発熱回路シート部１４は、防水シート部１１の髪と面接触する側とは反対側に配置される。図１（ｂ）および図１（ｃ）に示すように、断熱シート部１２は、発熱回路シート部１４の防水シート部１１とは反対側に配置される。図１（ａ）乃至図１（ｃ）に示すように、面ファスナー部１３は、防水シート部１１の端部に配置される。なお、図１（ｂ）および図１（ｃ）に示すように、髪施術用加熱器１０は、発熱回路シート部１４に電力を供給し、発熱回路シート部１４の発熱動作を制御する制御部Ｃｎｔを更に有する。制御部Ｃｎｔの制御方法は、公知の技術を利用することができる。また、制御部Ｃｎｔは、温度センサーや時間センサーを更に備えて、発熱回路シート部１４の発熱動作を制御してもよい。図２（ａ）および図２（ｂ）に示すように、制御部Ｃｎｔは、外部から電力を供給するためのケーブルを備えてもよいし、充電式の電池を内蔵してもよい。
【００１６】
防水シート部１１は、施術時に髪に面接触する部材である。図１（ａ）および図１（ｃ）に示すように、防水シート部１１は、施術時には、内面（施術時に髪に接する面）を形成する。防水シート部１１の材質は、防水機能があればよく、特に限定されるものではない。防水シート部１１の材質は、たとえば伸縮性のある合成繊維で構成される生地であってもよい。また、防水シート部１１の形状は、設計、実験、計算などで予め定められる形状とすることができる。
【００１７】
断熱シート部１２は、発熱回路シート部１４の熱を断熱する部材である。図１（ｂ）および図１（ｃ）に示すように、断熱シート部１２は、施術時には、外面（施術時に使用者が保持する面）を形成する。断熱シート部１２の材質は、断熱機能があればよく、特に限定されるものではない。断熱シート部１２の材質は、面ファスナー部１３で着脱できる表面（フック状とパイル状とで噛み合わせる表面）の生地であってもよい。また、断熱シート部１２の形状は、設計、実験、計算などで予め定められる形状とすることができる。断熱シート部１２は、本実施形態では、表面全体をフック状とパイル状とで噛み合わせる面ファスナーの生地を用いる。これにより、本発明に係る髪施術用加熱器１００は、施術時（取り付け時）に断熱シート部１２の所望の位置に面ファスナー部１３を配置（固定）することができる。
【００１８】
面ファスナー部１３は、断熱シート部１２の外側表面に着脱可能な面ファスナーを備える部材である（たとえば後述する図３および図４）。図１（ａ）乃至図１（ｃ）に示すように、面ファスナー部１３は、本実施形態では、防水シート部１１の２箇所の端部にそれぞれ配置される。なお、面ファスナー部１３の材質は、特に限定されるものではなく、断熱シート部１２の表面に着脱できる表面（フック状とパイル状とで噛み合わせる表面）の生地であってもよい。また、面ファスナー部１３の形状や個数は、設計、実験、計算などで予め定められる形状と個数とすることができる。
【００１９】
発熱回路シート部１４は、制御部Ｃｎｔから供給される電力を熱に変換して発熱し、髪を加熱処理する部材である。図１（ｃ）に示すように、発熱回路シート部１４は、防水シート部１１と断熱シート部１２とに挟まれて、保持される。発熱回路シート部１４の発熱方法は、特に限定されるものではなく、公知の技術を利用することができる。発熱回路シート部１４の形状は、設計、実験、計算などで予め定められる形状とすることができる。
【００２０】
以上のとおり、本発明に係る髪施術用加熱器１００によれば、施術時に発熱回路シート部１４を発熱して、円筒部材（後述する図３の２０Ｕ）に巻き付けた髪の外側（根元の髪の部分、髪の太い部分）を優先的に加熱することができる。また、本発明に係る髪施術用加熱器１００によれば、円筒部材（後述する図３の２０Ｕ）に巻き付けた髪の外側（根元の髪の部分、髪の太い部分）を優先的に加熱することができるので、施術に時間がかかる根元の髪の部分、髪の太い部分を優先的に加熱することができ、施術時間を短縮することができ、施術効率を向上することができる。
【００２１】
図３および図４に示すように、本発明に係る髪施術器１００Ｕは、上記の髪施術用加熱器１０Ｕ（図１の１０）と、略円筒形状の円筒部材２０Ｕと、を備える。髪施術器１００Ｕは、髪を施術時（加熱時）に、円筒部材２０Ｕの外面に髪を巻いて保持し、次に髪施術用加熱器１０Ｕの防水シート部（図１の１１）を内面にして円筒部材２０Ｕに髪施術用加熱器を略円筒形状に丸めて折り曲げて被せ、発熱回路シート部（図１の１４）を発熱して髪を加熱して施術する。なお、円筒部材２０Ｕの形状は、設計、実験、計算などで予め定められる形状とすることができる。また、円筒部材２０Ｕの材質は、熱伝導率、熱伝達率が高く、且つ、軽量な部材（たとえばアルミニウム製）を用いることができる。
【００２２】
これにより、本発明に係る髪施術器１００Ｕによれば、施術時に発熱回路シート部１４を発熱して、円筒部材（図３の２０Ｕ）に巻き付けた髪の外側（根元の髪の部分、髪の太い部分）を優先的に加熱することができる。また、本発明に係る髪施術器１００Ｕによれば、円筒部材（図３の２０Ｕ）に巻き付けた髪の外側（根元の髪の部分、髪の太い部分）を優先的に加熱することができるので、施術に時間がかかる根元の髪の部分、髪の太い部分を優先的に加熱することができ、施術時間を短縮することができ、施術効率を向上することができる。また、本発明に係る髪施術器１００Ｕによれば、従来の加熱式パーマロッド（ロッドを加熱して、巻き付けた髪の内側から加熱する方法）と比較して、施術に時間がかかる根元の髪の部分、髪の太い部分を優先的に加熱することができ、施術時間を短縮することができ、施術効率を向上することができる。また、本発明に係る髪施術器１００Ｕによれば、従来の加熱式パーマロッド（ロッドを加熱して、巻き付けた髪の内側から加熱する方法）と比較して、円筒部材（図３の２０Ｕ）を飛躍的に軽量化することができるので、髪施術器全体を軽量化することができ、巻き付けた髪の位置ずれを防止することができ、被施術者の負担を軽減することができる。また、本発明に係る髪施術器１００Ｕによれば、断熱シート部１２を用いて断熱することができるので、発熱した熱を効率的に利用でき、省エネルギを実現できる。また、本発明に係る髪施術器１００Ｕによれば、その外面を断熱シート部１２を用いて断熱することができるので、従来の加熱式パーマロッド（ロッドを加熱して、巻き付けた髪の内側から加熱する方法）と比較して、加熱部分を覆い隠すことができ、頭皮や皮膚などが火傷することを防止することができる。また、本発明に係る髪施術器１００Ｕによれば、その外面を絶縁体の断熱シート部を用いて覆うことができるので、漏電を防止することができる。
【００２３】
（２．髪施術方法）
本発明の実施形態に係る髪施術方法を説明する。
【００２４】
本発明に係る髪施術方法は、上述の（１．髪施術用加熱器および髪施術器の構成）で説明した髪施術器１００Ｕを用いて、髪を加熱して施術をする髪施術方法である。具体的には、本発明に係る髪施術方法は、髪に面接触する防水シート部と、防水シート部の髪とは反対側に配置され、供給される電力を熱に変換して発熱する発熱回路シート部と、発熱回路シート部の防水シート部とは反対側に配置され、発熱回路シート部の熱を断熱する断熱シート部と、防水シート部の端部に配置され、断熱シート部の外側表面に着脱可能な面ファスナーを備える面ファスナー部と、髪を外面に巻いて保持する略円筒形状の円筒部材と、を有する髪施術器を用いて、髪を加熱して施術をする髪施術方法である。
【００２５】
本発明に係る髪施術方法は、円筒部材の外面に髪を巻いて保持する巻き付けステップと、防水シート部と発熱回路シート部と断熱シート部とで三層に積層されて一体的に折り曲げ可能なシート形状を形成した状態で、巻き付けステップで髪を巻いて保持した円筒部材に、防水シート部を内面にして略円筒形状に丸めて被せる加熱器取り付けステップと、発熱回路シート部を発熱して、円筒部材に巻いて保持している髪を加熱する加熱施術ステップとを含む。
【００２６】
これにより、本発明に係る髪施術方法によれば、前述の髪施術用加熱器および髪施術器（図１乃至図４）と同様の効果を得ることができる。また、本発明に係る髪施術方法によれば、従来の加熱式パーマロッド（ロッドを加熱して、巻き付けた髪の内側から加熱する方法）と比較して、髪施術用加熱器を容易に取り外しできるので、加熱器取り付けステップと加熱施術ステップとを容易に繰り返すことができる。また、本発明に係る髪施術方法によれば、施術液を髪に塗布して施術する場合に、加熱器取り付けステップと加熱施術ステップとを容易に繰り返すことができるので（髪施術用加熱器を容易に取り外しできるので）、施術液を複数回に分けて髪に塗布することができ、施術効果を確認しながら施術することができる。
【産業上の利用可能性】
【００２７】
本発明は、業務用の髪施術器および家庭用の髪施術器などにおいて好適に利用することが可能である。
【００２８】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００２９】
１００Ｕ  ：  髪施術器
１０，１０Ｕ  ：  髪施術用加熱器
１１  ：  防水シート部
１２  ：  断熱シート部
１３  ：  面ファスナー部
１４  ：  発熱回路シート部
２０Ｕ：  円筒部材
Ｃｎｔ：  制御部
【図１】
2019217116.tif 000003
【図２】
2019217116.tif 000004
【図３】
2019217116.tif 000005
【図４】
2019217116.tif 000006